(57)【要約】【課題】プロジェクタの傾斜角を容易に調節できる傾斜角調節台と傾斜角調節台付きプロジェクタワゴンを提供する。【解決手段】プロジェクタを載置できる載置部材１０の裏面に、立面部１６と底面部１８を有する断面Ｌ字形の傾斜角調節部材１４を立面部１６の上端部を揺動可能に設け、傾斜角調節部材１４を起伏して載置部材１０の傾斜角を調節可能とした傾斜角調節台２２を構成する。また、前記傾斜角調節台２２をワゴンの天板に載置部材１０の一端を蝶番で揺動可能に取付けると共にワゴン内の棚部にはＤＶＤプレーヤ、パソコン等を載置できるようにし、かつワゴンにはＤＶＤプレーヤやパソコン等の音声信号を増幅するアンプ部を設け、増幅した音声電流を供給する外部スピーカをワゴン内に設けた傾斜角調節台付きプロジェクタワゴンを構成した。【選択図】  図１
2008121752.tif 000002
【特許請求の範囲】
【請求項１】
プロジェクタの傾斜角を調節するための傾斜角調節台であって、プロジェクタ底部の前端側が少なくとも載置され得る載置部材には、その裏面側で載置部材自体の前端側からの所定位置に、所定高さの立面部と該立面部の下端部から側方に延出した底面部とを備えた断面Ｌ字形の傾斜角調節部材が、立面部の上端部で揺動可能にかつ、底面部先端が載置部材の後端側を向く方向に取り付けられてなり、傾斜角調節部材を起伏させることにより載置部材の傾斜角を段階的に変えうるようにした傾斜角調節台。
【請求項２】
載置部材は板状の部材からなり、その後端側にはプロジェクタの設置台に対し載置部材自体が揺動可能とされ得る蝶番が設けられると共に、載置部材の裏面側に取り付けられた傾斜角調節部材は、立面部の高さが載置部材の前端部から立面部の取付け位置までの距離と同寸法とした請求項１記載の傾斜角調節台。
【請求項３】
請求項１または２記載の傾斜角調節台において、傾斜角調節部材は一定の拡がりを有する面状の立面部と底面部に代えて、針金その他の線状部材で前記立面部と底面部の両端部輪郭に相当する立辺部と底辺部を曲成し、かつ両底辺部の先端部間を前記針金その他の線状部材で一体に連結した連結部を形成すると共に両立辺部の上端部を互いに外方または内側に折り曲げた折曲部を載置部材の下面側に揺動可能に取り付けるようにした傾斜角調節部材。
【請求項４】
下端部にキャリアーを有し前後左右斜め方向に移動し、かつ全方位に向かい得るプロジェクタワゴンの上端部の天板に請求項１〜３のいずれか１項に記載の傾斜角調節台が取付けられた傾斜角調節台付きプロジェクタワゴンであって、前記傾斜角調節台は傾斜角調節部材を載置部材の前端側に倒したとき傾斜角調節部材の底面部もしくは底辺部が前記天板の一側端部に当接しあるいは該側端部との間に隙間を隔てて位置するように取付けられると共にプロジェクタワゴンの本体部内には１または２以上の棚部を有しＤＶＤプレーヤ、パソコン等を載置可能とされ、さらに前記本体部内にはＤＶＤプレーヤ、パソコン等からの音声信号を増幅するためのアンプ部が設けられると共に本体部の少なくとも一壁面部は所定厚みを有し、この壁面部内にはスピーカが配置されるようにした傾斜角調節台付きプロジェクタワゴン。
【請求項５】
請求項４記載の傾斜角調節台付きプロジェクタワゴンにおいて、アンプ部のパネルにはＤＶＤプレーヤやパソコン等からの音声信号を入力するためのサイズまたは種類の異なる複数の外部端子、アンプ部で増幅された音声信号を外部のスピーカに出力するための外部端子および音源を選択するための切換えスイッチを設けると共に前記壁面部内に低音域用,高音域用の複数の小型スピーカを複数列配置するようにした傾斜角調節台付きプロジェクタワゴン。
【発明の詳細な説明】
【技術分野】
【０００１】
本発明は、プロジェクタ等の傾斜角を容易に調節できる傾斜角調節台および傾斜角調節台付きプロジェクターワゴンに関するものであり、特に傾斜角を２段階に調節できる傾斜角調節台および傾斜角調節台付きプロジェクタワゴンに関するものである。
【背景技術】
【０００２】
プロジェクタは使用時において、映像を投影するスクリーンまでの距離の関係、プロジェクタとスクリーンとの高さの関係等により、傾斜角を調節する必要がある。
従来よりプロジェクタの傾斜角の調節は、プロジェクタの下端部の隅部に設けたねじを出し入れして行うようにされているのが通常であるが、特開平８−２２７１０４号公報記載のプロジェクタ用傾斜角調節装置や特開平２００６−２３５１５６号公報記載のプロジェクタの設置スタンドにおいても、プロジェクタの傾斜角の調節手段が開示されたいる。
ところがこれらの傾斜角調節手段はいずれも、充分とはいえない。
【０００３】
第１の通常の手段はプロジェクタ底部の隅に設けた雌ネジ部に雄ねじ部材を螺合し、この雄ねじ部材に形成されたつまみ部を手で廻して雄ねじ部材を出し入れして行うものであるから、その出入れ量に一定の制約があり、傾斜角調節範囲も充分とはいえない。そこで、下に本やノートを敷き重ねたり、他の物品を下に敷いたりすることが行われているが、使用時にこれらを用意することは非常に煩わしい。また、ねじ部材１回転当たりねじ１ピッチ分しか傾斜角が変化しないので、微調整の場合は都合がよいが、傾斜角を大きく変える場合には手間が掛かる。
【０００４】
第２の手段（特開平８−２２７１０４号公報記載）は、プロジェクタの下端部コーナに同公報の図２に示すように、きのこ状の部材を傘の部分を下にして配置し軸状部分３３の上端部に複数のリング状溝３３aを設け、かつきのこ状の部材をばねにより下向きに付勢し、一方先端部が前記リンク状溝に係合し得る調節部材４０を、前記軸状部分に直角方向に摺動可能、かつリング状溝に係合する方向にばねで付勢され、リング状溝との係合位置を変えることにより、きの状の部材の出入りを加減してこ傾斜角を調節するようにされている。しかし、構造が複雑であり、また傾斜角調節台等の別部材を使用するものではないので、構造改変等の追加工事をしない限り他の機種のプロジェクタには適用できないという問題点がある。
【０００５】
第３の手段（特開平２００６−２３５１５６号公報記載）は、同公報段落「００３０」によれば、プロジェクタ設置台としての天板２は一端が蝶番により連結され、傾斜可能とされると共にチルトつまみ７を回転させると、チルトつまみ７に連動するピニオンが回転し、ピニオンの回転運動を天板２と接続するラック（いずれも図示せず）で直線運動に変換することにより、天板２に傾きを持たせる。これによりプロジェクタの傾斜角を調節するようにされている。しかし、構造が複雑でコストが高くなるという問題点がある。
【特許文献１】特開平８−２２７１０４号公報
【特許文献２】特開平２００６−２３５１５６号公報
【発明の開示】
【発明が解決しようとする課題】
【０００６】
解決しようとする課題は、以下の通りである。
第１の手段では傾斜角調節範囲が小さいのでプロジェクタの下に敷く本やノートや他の物品を用意しなければならず、また傾斜角の微調整はできるが、大きく変える場合には不便である。第２の手段では、構造が複雑であり、また他の機種を使用する際には構造を改変する追加工事をしないと適用できない。第３の手段では、傾斜角調節用のピニオンやラック使用するので構造が複雑である。
【０００７】
上記課題を解決するためになされた本発明は、構造が簡単でプロジェクタの傾斜角の調節が容易で使用方法の簡単な汎用性のある傾斜角調節台と傾斜角調節台付きプロジェクタワゴンを提供することを目的とする。
【課題を解決するための手段】
【０００８】
上記目的を達成するためになされた本発明は、次のように構成される。
Ａ  プロジェクタの傾斜角を調節するための傾斜角調節台であって、プロジェクタ底部の前端側が少なくとも載置され得る載置部材には、その裏面側で載置部材自体の前端側からの所定位置に、所定高さの立面部と該立面部の下端部から側方に延出した底面部とを備えた断面Ｌ字形の傾斜角調節部材が、立面部の上端部で揺動可能にかつ、底面部先端が載置部材の後端側を向く方向に取り付けられてなり、傾斜角調節部材を起伏させることにより載置部材の傾斜角を段階的に変えうるようにした傾斜角調節台。
Ｂ  載置部材は板状の部材からなり、その後端側にはプロジェクタの設置台に対し載置部材自体が揺動可能とされ得る蝶番が設けられると共に、載置部材の裏面側に取り付けられた傾斜角調節部材は、立面部の高さが載置部材の前端部から立面部の取付け位置までの距離と同寸法とした請求項Ａ記載の傾斜角調節台。
Ｃ  Ａ項またはＢ項記載の傾斜角調節台において、傾斜角調節部材は一定の拡がりを有する面状の立面部と底面部に代えて、針金その他の線状部材で前記立面部と底面部の両端部輪郭に相当する立辺部と底辺部を曲成し、かつ両底辺部の先端部間を前記針金その他の線状部材で一体に連結した連結部を形成すると共に両立辺部の上端部を互いに外方または内側に折り曲げた折曲部を載置部材の下面側に揺動可能に取り付けるようにした傾斜角調節部材。
Ｄ  下端部にキャリアーを有し前後左右斜め方向に移動し、かつ全方位に向かい得るプロジェクタワゴンの上端部の天板に請求Ａ項〜Ｃ項のいずれか１項に記載の傾斜角調節台が取付けられた傾斜角調節台付きプロジェクタワゴンであって、前記傾斜角調節台は傾斜角調節部材を載置部材の前端側に倒したとき傾斜角調節部材の底面部もしくは底辺部が前記天板の一側端部に当接しあるいは該側端部との間に隙間を隔てて位置するように取付けられると共にプロジェクタワゴンの本体部内には１または２以上の棚部を有しＤＶＤプレーヤ、パソコン等を載置可能とされ、さらに前記本体部内にはＤＶＤプレーヤ、パソコン等からの音声信号を増幅するためのアンプ部が設けられると共に本体部の少なくとも一壁面部は所定厚みを有し、この壁面部内にはスピーカが配置されるようにした傾斜角調節台付きプロジェクタワゴン。
Ｅ  Ｄ項記載の傾斜角調節台付きプロジェクタワゴンにおいて、アンプ部のパネルにはＤＶＤプレーヤやパソコン等からの音声信号を入力するためのサイズまたは種類の異なる複数の外部端子、アンプ部で増幅された音声信号を外部のスピーカに出力するための外部端子および音源を選択するための切換えスイッチを設けると共に前記壁面部内に低音域用,高音域用の複数の小型スピーカを複数列配置するようにした傾斜角調節台付きプロジェクタワゴン。
【発明の効果】
【０００９】
前記Ａ項記載の本発明によれば、傾斜角調節台は傾斜角調節部材を正立あるいは前後に倒すことにより、プロジェクタを載置すべき載置部材が段階的に大きく傾斜角を変え得るようにされている。これにより、傾斜角調節台上のプロジェクタの傾斜角は、極めて簡単かつ容易に調節可能となる。また、どのようなプロジェクタの機種でも適用可能であり、構造も簡単であるという利点がある。
なお、通常プロジェクタは殆ど例外なくその底部の隅に、前述した傾斜角調節用のねじを設けているので、傾斜角を微調節するには、このねじを使用すればよい。従って、本発明の傾斜角調節台を使用すれば、傾斜角を大きく調節することも、微調節することも、極めて簡単かつ、容易である。
【００１０】
前記Ｂ項記載の本発明によれば、載置部材１０の後端部には蝶番２４が取り付けられ、この蝶番２４を介して傾斜角調節台２２は、プロジェクタを設置すべき設置台上の所定位置に揺動可能に取り付けられ、かつ傾斜角調節部材の取付位置は載置部材の前端部から立面部上端までの距離が立面部の高さ寸法と同じかあるいは若干長くなるように決定されるので、傾斜角調節部材を載置部材の前端側に倒せば、載置部材は設置台に添って水平になる。従って、傾斜角調節部材を正立あるいは前後に倒すことにより、プロジェクタを載置すべき載置部材は２段階に傾斜角を調節できる。
【００１１】
前記Ｃ項記載の本発明によれば、傾斜角調節部材は全体が板状部材で構成されるのに代えて、針金等を曲成して構成されるので、重量が軽く、コストを低減できる利点がある。
【００１２】
前記Ｄ項記載の本発明によれば、プロジェクタワゴンの天板上に取付けたＢ項記載の傾斜角調節台にプロジェクタを載置するので、その傾斜角を２段階に容易に調節することができる。従って、プロジェクタの使用時に、その傾斜角を調節するためにプロジェクタの下に敷くための本やノートや他の物品等を用意する必要がなく、煩わしさが解消できる。
【００１３】
また、プロジェクタワゴンの本体部内の棚部に、ＤＶＤプレーヤやパソコンが載置され、これらからの音声信号を増幅するためのアンプ部を本体部内に備えているので、映像信号等が入力されたＤＶＤプレーヤ用のＣＤ等を持参すれば、直ちにプロジェクタの使用が可能である。従って、プロジェクタ使用に当たり、別途アンプ類を準備しなければならないという煩わしさから解放される。さらに、本体部の所定厚みを有する壁面部内には外部スピーカを内蔵しているので、プロジェクタを使用した講義等における説明に必要な大きな音量を得ることができる。また、本体部の下端にキャスタを設けているので、プロジェクタをどの方向に移動し、向きを変えることが容易であり、スクリーンに映像を正しく投影することが容易である。
【００１４】
前記Ｅ項記載の本発明によれば、アンプ部にはＤＶＤプレーヤやパソコンからの音声信号を入力するための、サイズまたは構造の異なる複数の外部端子が設けられているので、
異なるメーカーのＤＶＤプレーヤ、パソコン等を使用する場合においても、ケーブル端子がよく適合し、使用時の汎用性が高いという利点がある。また、低音用、高音用の複数のスピーカを備えているので、良好な音質の音を出力できる。
【発明を実施するための最良の形態】
【００１５】
以下本発明の実施の形態を図面に基づいて詳細に説明する。
図１において、１０は載置部材であり、矩形状の板状部材で構成され、その前端部は上方に折り曲げられて立上げ縁部１２が形成され、載置部材自体の強度向上と載置したプロジェクタの脱落防止を図っている。載置部材１０の前端寄りの下面には傾斜角調節部材１４が揺動可能に取り付けられている。傾斜角調節部材１４は所定高さの立面部１６とその下端部から略直角方向に延出した底面部１８を有する断面がＬ字状の部材であり、立面部１６の上端部は載置部材１０の前端部から所定距離Ａだけ離れた位置に蝶番２０により揺動可能に取り付けられている。このようにして、載置部材１０と傾斜角調節部材１４とにより傾斜角調節台２２が構成される。
【００１６】
さらに、載置部材１０の後端部には蝶番２４が取り付けられ、この蝶番２４を介して傾斜角調節台２２は、プロジェクタを設置すべき設置台上の所定位置に揺動可能に取り付けられる。すなわち、図１（ロ）に示すように載置部材１０の前端部から立面部１６までの距離Ａは立面部１６の高さ寸法Ｂと同じかあるいは若干長くなるように決定される。
【００１７】
図２（イ）に示すように、立面部１６を立てると載置部材１０は設置台２６に対してθ１なる傾斜角をなすが、図２（ロ）に示すように立面部１６を載置部材１０の後端部寄りに倒すと、傾斜角調節部材１４は底面部１８の先端部が載置部材１０に接するまで倒れ傾斜角θ２となり、傾斜角が小さくなる。図２（ハ）に示すように、傾斜角調節部材１４を逆方向に倒すと立面部１６の一面側は載置部材１０の下面に接すると共に立面部１６の他面側は設置台２６の端面に接するようになり、載置部材１０は水平になり、傾斜角はゼロとなる。従って、傾斜角を大きく２段に調節することができる。
【００１８】
このように、傾斜角調節部材１４を立てたり、前後に起伏させることにより載置部材１０の傾斜角を容易に調節し、載置部材１０上に載置したプロジェクタの傾斜角を簡単に調節することができる。なお、通常プロジェクタは殆ど例外なくその底部の隅に、前述した傾斜角調節用のねじを設けているので、傾斜角を微調節するには、このねじを使用すればよい。従って、本発明の傾斜角調節台を使用すれば、傾斜角を大きく調節することも、微調節することも、極めて簡単かつ、容易である。
【００１９】
図３において、３０はプロジェクタワゴンであり、プロジェクタの設置台としての天板３２には、その前端寄りに図１に示す傾斜角調節台２２が配置され、かつその構成部品である載置部材１０は後端部側が蝶番２４により揺動可能に取付られている。その取付位置は図２（ハ）に示すように、傾斜角調節部材１４を前方に倒し、立面部１６が載置部材１０の裏面に接するようにしたとき、底面部１８は設置台としての天板３２の前端面に当接するか、あるいは前端面との間に若干の隙間を生ずる状態となるように決定する。そして、傾斜角調節台２２上には図３に示すようにプロジェクタ３１が載置される。
【００２０】
このような構成とすることにより、前述の如く傾斜角調節部材１４を立てたり前後に倒すことにより、プロジェクタ３１の傾斜角を簡単に大きく調節することができ、また通常のプロジェクタ３１の底部に設けられた傾斜角調節ねじを廻すことにより傾斜角の微調節が容易にできるという効果を奏する。
【００２１】
プロジェクタワゴン３０は、底板３４の上に周り三方を囲む３つの壁面部が立設され、さらにその上部に天板３２が取り付けられて、プロジェクタワゴンの本体部３６が構成される。本体部３６内には複数の棚部３８、３９が設けられ、例えば棚部３８にはＤＶＤプレーヤ２８が、棚部２９にはパソコン２９が載置されている。そして、天板３２の下面側には棚部３８，３９に載置されているＤＶＤプレーヤやパソコンからの音声信号を増幅するためのアンプ部４０が設置されている。また、天板３２にはＤＶＤプレーヤやパソコン等からのケーブルを上方に出すための挿通孔４１が形成されている。
【００２２】
アンプ部４０の前面パネルにはＤＶＤプレーヤからの音声信号を入力するための外部端子４２，４４が、パソコンからの音声信号を入力するための外部端子４６が設けられると共に外部スピーカに増幅された音声信号を出力するための外部端子４８，５０が設けられる。５２は音源切換スイッチ、５４は音量つまみ、５６はアンプ部４０の電源スイッチである。ＤＶＤプレーヤ２８はＤＶＤの再生装置であり、セットされたＤＶＤを再生し、再生された映像信号はケーブル（図示省略）により挿通孔４１を通りプロジェクタに供給される。一方、再生された音声信号はケーブル（図示省略）により外部端子４２または４４を経てアンプ部４０に供給され、増幅されて外部端子４８，５０からスピーカに出力される。なお、外部端子としてはピンジャックが使用され、これに接続するケーブルの端子はピンプラグが使用される。
【００２３】
本体部の一つの壁面部５８は厚さが厚くされ、その内部に低音用、高音用の複数の小型スピーカ６０が配置されている。これらの外部スピーカ６０には、外部端子４８，５０からケーブル（図示省略）で接続され、良質の音声を出力できるようにされている。
【００２４】
底板３４の下面の四隅にはストッパ付きのキャスタ６２が設けられ、プロジェクタワゴン３０を左右前後斜め方向に移動できると共に、３６０度全方位に向きを変えることができるようにされている。また、底板３４の一方の隅には多口のコンセント６４が配置され、電源コード（図示省略）により外部電源からプロジェクタワゴン３０内の各部へ電力を供給できるようにされている。        
【００２５】
このようにして構成されたプロジェクタワゴン３０の天板３２上には、図１に示す傾斜角調節台２２がその一端側で揺動可能に取付られ、傾斜角調節部材を起伏させることにより、プロジェクタを載置すべき載置部材１０が二段に大きく傾斜角を変えるようにされている。これにより、傾斜角調節台２２上のプロジェクタ６４の傾斜角は調節可能となる。
【００２６】
前記実施例において、図１に示す傾斜角調節台２２の構成部品である、板材からなる傾斜角調節部材１４に代えて、図４に示す針金を曲成して作った傾斜角調節部材６８を使用することも可能である。針金で構成するので、軽くかつコストを安くできる利点がある。立辺部７０，７１はそれぞれ傾斜角調節部材１４の端部輪郭に対応するものであり、７４は底辺部７２，７３の先端部間を連結する連結部であり、７６，７７は折曲部である。この折曲部を揺動可能に載置部材１０に取り付けると、傾斜角調節部材１４の作用をする。
【００２７】
以上本発明の実施例について説明したが、本発明はこのような実施例に何ら限定されるものではなく、本発明の要旨を逸脱しない範囲において種々なる態様で実施し得ることはもちろんである。
【図面の簡単な説明】
【００２８】
【図１】（イ）〜（ハ）は、本発明の傾斜角調節台の一実施例を示す表面から見た斜視図、裏面から見た斜視図、正面図、同図（イ）における拡大断面図である。
【図２】（イ）〜（ハ）は、同実施例の使用状態を示す説明図である。
【図３】本発明の傾斜角調節台付きプロジェクタワゴンの実施例を示す斜視図である。
【図４】図１に示す実施例の一部材の変形例を示す斜視図である。
【符号の説明】
【００２９】
１０  載置部材
１４  傾斜角調節部材
１６  立面部
１８  底面部
２２  傾斜角調節台
２４  蝶番
２６  設置台
２８  ＤＶＤプレーヤ
２９  パソコン
３０  プロジェクタワゴン
３１  プロジェクタ
３２  天板
３４  底板
３６  本体部
３８、３９  棚部
４０  アンプ部
４２，４４、４６、４８、５０  外部端子
５８  壁面部
６０  スピーカ
６２  多口コンセント
【図１】
2008121752.tif 000003
【図２】
2008121752.tif 000004
【図３】
2008121752.tif 000005
【図４】
2008121752.tif 000006